(57)【要約】【課題】ＡＶ機器同士を１本のＨＤＭＩケーブルにより双方向に映像および音声信号を送れるＡＶ機器接続装置を提供することを目的とする。【解決手段】ＡＶ機器接続装置１０は、映像／音声信号がＨＤＭＩ規格に準拠した形態のストリームを受信してデコードするＨＤＭＩ受信部１１、映像／音声信号をＨＤＭＩ規格に準拠した形態のストリームにエンコードして送信するＨＤＭＩ送信部１２、ＨＤＭＩ受信部１１又はＨＤＭＩ送信部１２を切換えるセレクタ１３、セレクタ１３の切換え制御を行うＨＤＭＩ制御部１４を備えており、ＨＤＭＩ制御部１４は、ユーザの切換え操作による操作入力信号又は相手のＨＤＭＩ接続機器から送信されてくるＣＥＣコマンドによりセレクタ１３の切換え制御を行うと共に相手機器のセレクタを切換えさせるＣＥＣコマンドを送信する機能を有している。【選択図】図１
2008072419.tif 000002
【特許請求の範囲】
【請求項１】
入力／出力端子を備えたＡＶ機器を１本のＨＤＭＩケーブルで相手側機器とＨＤＭＩ接続し、映像／音声信号の双方向の送信を可能にするＡＶ機器接続装置であって、
映像／音声信号がＨＤＭＩ規格に準拠した形態のストリームを受信してデコードするＨＤＭＩ受信部と、
映像／音声信号をＨＤＭＩ規格に準拠した形態のストリームにエンコードして送信するＨＤＭＩ送信部と、
前記ＨＤＭＩ送信部および前記ＨＤＭＩ受信部を前記入力／出力端子に選択接続するセレクタと、
ＨＤＭＩ接続方向を変更する操作入力信号が供給されると前記セレクタの選択接続を制御するための制御信号を出力すると共に相手機器の送信／受信を切換えるための制御コマンドを送信する機能を有するＨＤＭＩ制御部と、
を含んで構成されることを特徴とするＡＶ機器接続装置。
【請求項２】
前記制御信号は、ＨＤＭＩ接続された相手側機器から送信されてくる制御コマンドによっても出力されることを特徴とする請求項１に記載のＡＶ機器接続装置。
【請求項３】
前記制御コマンドは、ＨＤＭＩ規格のＣＥＣプロトコルに基づくものであることを特徴とする請求項１又は２に記載のＡＶ機器接続装置。
【請求項４】
前記ＨＤＭＩ制御部は、マイコンを備えていることを特徴とする請求項１から３のいずれかに記載のＡＶ機器接続装置。
【請求項５】
前記ＨＤＭＩ受信部、前記ＨＤＭＩ送信部、前記セレクタおよび前記ＨＤＭＩ制御部がワンチップで構成されていることを特徴とする請求項１から４のいずれかに記載のＡＶ機器接続装置。
【請求項６】
請求項１から５のいずれかに記載されたＡＶ機器接続装置を備えたことを特徴とするテレビジョン受像機。
【請求項７】
請求項６に記載のテレビジョン受像機と請求項１から５のいずれかに記載のＡＶ機器接続装置を備えた外部機器とが前記入力／出力端子を介してＨＤＭＩケーブルで接続されていることを特徴とするＡＶシステム。
【請求項８】
前記外部機器はハードディスクレコーダ又はＤＶＤレコーダであることを特徴とする請求項７に記載のＡＶシステム。
【請求項９】
前記外部機器はＡＶアンプであることを特徴とする請求項７に記載のＡＶシステム。
【請求項１０】
前記ＨＤＭＩ制御部は、ＡＶアンプを含む一方の系統の接続方向を切換える操作信号が入力されると他方の系統の接続方向もそれに合わせて切換えることを特徴とする請求項９に記載のＡＶシステム。
【請求項１１】
前記ＨＤＭＩ制御部は、送信機器になっている方のＨＤＭＩ接続機器を受信側機器に切換えてからもう一方のＨＤＭＩ接続機器を送信側機器に切換えることを特徴とする請求項７から１０のいずれかに記載のＡＶシステム。
【発明の詳細な説明】
【技術分野】
【０００１】
本発明は、ＡＶ機器接続装置、ＡＶ機器接続装置を備えたテレビジョン受像機およびＡＶシステム、より詳細にはＨＤＭＩ（High-Definition Multimedia Interface）対応の複数のＡＶ機器を簡単に接続することが可能なＡＶ機器接続装置、ＡＶ機器接続装置を備えたテレビジョン受像機およびＡＶシステムに関する。
【背景技術】
【０００２】
最近、映像伝送用のデジタルインタフェースとしてＨＤＭＩが普及しつつある。ＨＤＭＩは、ＰＣとディスプレイの接続標準規格であるＤＶＩに音声伝送機能や著作権保護機能を加えて、ＡＶ機器向けにアレンジしたものとなっている。
従来は機器同士の接続にビデオ、オーディオ、コントロールの各信号用の複数のケーブルを用いていたが、ＨＤＭＩではケーブル１本で済み、ＨＤＭＩ規格に基づいたＣＥＣ（Consumer Electronics Control)を使用することにより、１つ以上のレコーダをＴＶに接続し、多くの番組を録画・蓄積できるようになってきた。
また、ＣＥＣは双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
ＨＤＭＩによりＡＶ機器を接続する技術として例えば、特許文献１のようなものがある。
【特許文献１】特開２００６−１９９４８号公報
【発明の開示】
【発明が解決しようとする課題】
【０００３】
しかし、ＨＤＭＩ規格では、映像や音声を双方向へ送信することはできないので、双方向へ映像や音声を送るためには、２本のＨＤＭＩケーブルを使うか、１本のＨＤＭＩケーブルと他の映像や音声のケーブルを組み合わせる必要があった。
また、接続機器の種類にあわせて入力／出力端子を選ばなくてはならない。例えば、テレビジョン放送受像機（以下、ＴＶとも記載する。）とレコーダの接続ならば、ＴＶの入力端子とレコーダの出力端子を接続することになる。同じ接続機器でも利用目的により入力と出力を切換える必要がある。このため、２本のケーブルで接続することになる。
ＴＶでレコーダの録画コンテンツを見る場合はＴＶの入力端子とレコーダの出力端子を接続する必要がある。また、ＴＶの表示内容をレコーダで記録するには、ＴＶの出力端子とレコーダの入力端子を接続する必要がある
また、ＡＶアンプをＴＶに接続する場合、ＨＤＭＩケーブルと光ケーブル等の音声ケーブルが必要になる。これは、ＴＶのＨＤＭＩ端子は基本的に入力であるため、アンプをＣＥＣで制御するためにＨＤＭＩ接続しても、ＨＤＭＩ経由でＴＶからアンプへ音声を送れないためである。
【０００４】
本発明は、上述の現状に鑑みてなされたものであり、１本のＨＤＭＩケーブルにより双方向に映像／音声信号を送れるようにすることを目的とする。
【課題を解決するための手段】
【０００５】
本発明は、上述の課題を解決するために第１の技術手段は、入力／出力端子を備えたＡＶ機器を１本のＨＤＭＩケーブルで相手側機器とＨＤＭＩ接続し、映像／音声信号の双方向の送信を可能にするＡＶ機器接続装置であって、映像／音声信号がＨＤＭＩ規格に準拠した形態のストリームを受信してデコードするＨＤＭＩ受信部と、映像／音声信号をＨＤＭＩ規格に準拠した形態のストリームにエンコードして送信するＨＤＭＩ送信部と、前記ＨＤＭＩ受信部および前記ＨＤＭＩ送信部を前記入力／出力端子に選択接続するセレクタと、ＨＤＭＩ接続方向を変更する操作信号が入力されると前記セレクタの選択接続を制御するための制御信号を出力すると共に相手機器の送信／受信を切換えるための制御コマンドを送信する機能を有するＨＤＭＩ制御部と、を含んで構成されることを特徴としたものである。
【０００６】
第２の技術手段は、第１の技術手段において、制御信号は、ＨＤＭＩ接続された相手側機器から送信されてくる制御コマンドによっても出力されることを特徴としたものである。
【０００７】
第３の技術手段は、第１又は２の技術手段において、制御コマンドは、ＨＤＭＩ規格のＣＥＣプロトコルに基づくものであることを特徴としたものである。
【０００８】
第４の技術手段は、第１から３のいずれかの技術手段において、ＨＤＭＩ制御部は、マイコンを備えていることを特徴としたものである。
【０００９】
第５の技術手段は、第１から４のいずれかの技術手段において、ＨＤＭＩ受信部、ＨＤＭＩ送信部、セレクタおよびＨＤＭＩ制御部がワンチップで構成されていることを特徴としたものである。
【００１０】
第６の技術手段は、第１から５のいずれかの技術手段のＡＶ機器接続装置を備えたテレビジョン受像機であることを特徴としたものである。
【００１１】
第７の技術手段は、第６の技術手段であるテレビジョン受像機と第１から５のいずれかの技術手段であるＡＶ機器接続装置を備えた外部機器とが前記入力／出力端子を介してＨＤＭＩケーブルで接続されるＡＶシステムであることを特徴としたものである。
【００１２】
第８の技術手段は、第７の技術手段において、外部機器がハードディスクレコーダ又はＤＶＤレコーダであることを特徴としたものである。
【００１３】
第９の技術手段は、第７の技術手段において、外部機器はＡＶアンプであることを特徴としたものである。
【００１４】
第１０の技術手段は、第９の技術手段において、ＨＤＭＩ制御部は、ＡＶアンプを含む一方の系統の接続方向を切換える操作信号が入力されると他方の系統の接続方向もそれに合わせて切換えることを特徴としたものである。
【００１５】
第１１の技術手段は、第７から１０のいずれかの技術手段において、ＨＤＭＩ制御部は、送信機器になっている方のＨＤＭＩ接続機器を受信側機器に切換えてからもう一方のＨＤＭＩ接続機器を送信側機器に切換えることを特徴としたものであるＡＶシステム。
【発明の効果】
【００１６】
本発明によれば、入力端子、出力端子を意識せずに機器同士を接続することができ、利用目的により入力と出力が入れ替わる機器でも１本のＨＤＭＩケーブルで接続できる。すなわち、ＴＶとレコーダを接続する場合、録画コンテンツを再生するときはレコーダが送信側、ＴＶの表示内容を録画するときはＴＶが送信側に切換えることが可能なので接続ケーブルを繋ぎ替える必要がなくなる。
また、本発明によれば、通常は入力用として用いられるＴＶのＨＤＭＩ端子を出力用に切換えることでＴＶからＡＶアンプへと音声を送れるので、ＴＶとＡＶアンプを接続する場合でも１本のＨＤＭＩケーブルで済む。
【００１７】
ＨＤＭＩの送受信を切り替えることで、入力端子と出力端子を兼用できるので端子数を半減させることができる。
【発明を実施するための最良の形態】
【００１８】
以下、本発明の実施の形態について図面を参照しながら説明する。
図１は、本発明によるＡＶ機器接続装置の基本構成を示す機能ブロック図であり、ＡＶ機器接続装置をそれぞれ搭載した２台の機器を１本のＨＤＭＩケーブルで接続した状態で示している。
ＡＶ機器接続装置１０は、映像／音声信号がＨＤＭＩ規格に準拠した形態に変換されたストリームを受信してデコードするＨＤＭＩ受信部１１、映像／音声信号をＨＤＭＩ規格に準拠した形態のストリームにエンコードして送信するＨＤＭＩ送信部１２、ＨＤＭＩ受信部１１又はＨＤＭＩ送信部１２を切換えるセレクタ１３、このセレクタ１３の切換え制御を行うＨＤＭＩ制御部１４を含んで構成されている。
【００１９】
ＨＤＭＩ制御部１４は、リモコンなどを用いたユーザの切換え操作による操作入力信号又は他のＨＤＭＩ接続機器から送信されてくるＣＥＣコマンドによりセレクタ１３の切換え制御を行うと共に相手機器のセレクタを切換えさせるＣＥＣコマンドを送信する機能を有している。また、ＨＤＭＩ制御部１４は、ＨＤＭＩ接続機器情報や接続状態情報を取得する機能および自装置の機器情報や接続状態情報を配信する機能も備えている。
なお、図示の例では、送信部と受信部の切換え制御や接続機器情報、ＨＤＭＩ接続状態情報の取得や配信にＣＥＣを利用しているが、接続機器がＬＡＮなどに対応していればそれらの通信手段を利用することも可能である。
【００２０】
図２は、上述したＡＶ機器接続装置をＴＶに搭載した場合の概略構成を示す機能ブロック図であり、ＴＶの構成としてチューナや外部入力により供給される信号入力部２１、信号入力部２１からの映像／音声信号を処理する映像／音声処理部２２および表示／音声出力部２３のみを示し、ＡＶ機器接続装置１０には外部機器としてレコーダやＡＶアンプが接続される例を示している。
【００２１】
ＨＤＭＩ受信部１１が選択されている場合は、ＨＤＭＩケーブルＬが接続された入力／出力端子２４、セレクタ１３を介して受信されたストリームはデコードされてＴＶの映像／音声処理部２２に供給される。ＨＤＭＩ制御部１４に入力される操作信号又は相手機器から送信されてくるＣＥＣコマンドによりセレクタ１３がＨＤＭＩ送信部１２側に切換わった場合は、ＴＶの映像／音声処理部２２からの映像／音声信号がＨＤＭＩ送信部１２によりＨＤＭＩ規格に準拠した形態のストリームにエンコードされて入力／出力端子２４から送出される。
【００２２】
図３は、ＡＶ機器接続装置をレコーダに搭載した場合の概略構成を示す機能ブロック図であり、レコーダの構成としては信号入力部３１、映像／音声処理部３２、記録部３３のみを示しており、ＡＶ機器接続装置１０には外部機器としてＴＶやアンプが接続される例を示している。
【００２３】
信号入力部３１にはチューナや外部入力および記録部３３で録画したコンテンツの再生出力などの信号が含まれる。セレクタ１３が受信部１１を選択している場合は、例えば、ＴＶで視聴している放送映像を録画することができ、録画し終えたコンテンツを再生する場合はＡＶ機器接続装置１０を送信側に切換えることにより入力／出力端子３４に接続されたＨＤＭＩケーブルＬを繋ぎ替えることなくそのまま再生映像をＴＶに表示させることができる。
【００２４】
図４は、ＡＶ機器接続装置をＡＶアンプに搭載した場合の概略構成を示すブロック図であり、入力／出力端子４２に接続される外部機器としてはテレビジョン受像機などが、入力端子４３に接続される外部機器としてレコーダなどがそれぞれ接続される例を示している。
ＡＶアンプの場合は、各種の映像機器からの入力される映像／音声信号の音声信号を増幅してスピーカを駆動すると共に、映像機器同士を選択して接続するものであることから、図示のように、ＡＶ機器接続装置１０′は、テレビジョン受像機と接続される入力／出力端子４２側のＨＤＭＩ受信部１１、ＨＤＭＩ送信部１２、セレクタ１３およびＨＤＭＩ制御部１４′からなる第１のＡＶ機器接続装置１０ａ′と、レコーダと接続される入出力端子４３側のＨＤＭＩ受信部１１、ＨＤＭＩ送信部１２、セレクタ１３およびＨＤＭＩ１４′からなる第２のＡＶ機器接続装置１０ｂ′とで構成される。すなわち、この場合のＨＤＭＩ制御部１４′は共用になっており、一方のＡＶ機器接続装置を送信部側に切換えたときは他方のＡＶ機器接続装置は受信部側に切換わるように制御する。また、ＴＶ又はレコーダの音声信号は選択されている方の信号が音声出力部４１に供給される。
【００２５】
上記の構成によれば、ＴＶとＡＶアンプの間に１本、ＡＶアンプとレコーダの間に１本、の計２本のＨＤＭＩケーブルを用いるだけでＴＶとＡＶアンプとレコーダとを接続することが可能となる。すなわち、レコーダの録画コンテンツを見るときはレコーダからＡＶアンプへ映像と音声を、ＡＶアンプからＴＶへ映像を送信することができ、ＴＶの放送や他の入力を見るときはＴＶからＡＶアンプへ音声を送信することできる。
【００２６】
図５は、ＡＶ機器接続装置をテレビジョン受像機に搭載した場合の具体例を示すブロック図である。ＡＶ機器接続装置１０を搭載したテレビジョン受像機１００は、チューナで選局されたチャンネルのテレビジョン放送信号を映像信号と音声信号に復元するテレビジョン信号処理部１０１と、テレビジョン信号処理部１０１、外部入力端子１０２又は入力／出力端子１０３を通してＡＶ機器接続装置１０のＨＤＭＩ受信部１１から供給される各々の映像／音声信号を選択する選択部１０４と、選択部１０４で選択された映像／音声信号を処理して音声信号と映像信号をそれぞれ出力する映像／音声信号処理部１０５と、音声信号によりスピーカを駆動する音声信号出力部１０６と、メニュー画面や設定画面等のＧＵＩ映像を表示させるためのＯＳＤ信号生成部１０７と、ネットワーク通信を行うための画面を生成するブラウザ処理部１０８と、映像／音声処理部１０５、ＯＳＤ信号生成部１０７およびブラウザ処理部１０８の各映像信号を合成する画像処理部１０９と、映像信号を表示する映像信号出力部１１０と、テレビジョン受像機１００の全体の制御と各機能の調整や設定等を実行する制御部１１１と、テレビジョン受像機１００の各種機能を実行するための各種プログラムの他、ＯＳＤ処理のための各種データ、チャンネル選局のためのデータ等が保存される不揮発性メモリやワークメモリとして使われる揮発性メモリからなる記憶部１１２と、リモコンＩ／Ｆ部１１３と、ＬＡＮなどネットワークと接続するための通信Ｉ／Ｆ１１４と、を備えている。
【００２７】
本実施形態におけるテレビジョン受像機では、ＡＶ機器接続装置のＨＤＭＩ制御部１４がＨＤＭＩ接続機器情報や接続状態情報を取得する機能を備えており、ＨＤＭＩ接続の送信／受信を切換える操作信号が入力されると、制御部１１１は、記憶部１１２に記憶されているプログラムを実行することにより、取得したＨＤＭＩ接続機器情報や接続状態情報とＨＤＭＩ接続の送信／受信切換え情報とを組み合わせて各ＨＤＭＩ接続機器の接続状態を表示するための信号をＯＳＤ信号生成部１０７に送出する機能を有している。
【００２８】
各種の操作を行うためのリモコン１１５には、電源キー、放送チャンネルのダイレクト選局キー、チャンネルアップダウンキー、十字キー、決定キー、ＯＫキー、終了キー、戻るキー、音量調整キー、メニューキー等の他に、例えば、レコーダへのダイレクトキー（記録・再生）、コネクト選択キー（録画リスト、メディア切換、サラウンド、ＨＤＭＩ機器切換、機器一覧表示等）が設けられており、各キーが押されると、押されたキーに関する情報がリモコンＩ／Ｆ部１１３を介して制御部１１１に入力される。
【００２９】
次に、上記の構成を備えたテレビジョン受像機１００においてＨＤＭＩ接続方向の変更が行われる場合の処理フローについて、図６のフローチャートを参照しながら説明する。
先ずユーザが、リモコン操作によりオンスクリーン表示されたメニュー項目から「ＨＤＭＩ接続設定」を選択すると（Ｓ１）、制御部１１１からＨＤＭＩ制御部１４へ接続機器情報および接続状態情報を取得させるための制御信号が送出され、ＨＤＭＩ制御部１４はＣＥＣ経由で各系統における接続機器情報を取得し（Ｓ２）、制御部１１１はＨＤＭＩ制御部１４が取得した接続機器情報および接続状態情報をＯＳＤ信号生成部１０７に送って各機器の接続状態を図７に示すような接続系統画面としてオンスクリーン表示する（Ｓ３）。図示の例は、接続方向を変更できるのはレコーダが接続されているＩ、IIおよびＶが付されている系統であることを示しており、現在の接続方向を矢印で表している。
【００３０】
表示されている接続系統画面に基づいて接続方向を変更しようとする系統を、テンキーからの数字入力又は十字キーによるカーソル（不図示）移動で指定し（Ｓ４）、指定した系統の接続機器が２台とも入出力機器であれば（Ｓ５／Ｙ）、ステップＳ６に進み、指定した系統に入出力機器でない機器が接続されている場合、例えば、再生出力のみのプレーヤが接続されている系統IIIを指定した場合は（Ｓ５／Ｎ）、“指定した系統は、接続方向の変更はできません”などのメッセージを表示し（Ｓ７）、系統の選択をやり直す場合は（Ｓ８／Ｙ）戻るキーを押すことによりステップＳ４に戻り、接続方向の変更を中止する場合は（Ｓ８／Ｎ）、メニューキーを押すことによりフローを終了する。
【００３１】
ステップＳ６で指定した系統にレコーダが含まれていれば（Ｓ６／Ｙ）、レコーダの動作状態を取得し（Ｓ９）、接続方向の変更が可能な状態であれば（Ｓ１０／Ｙ）、決定キーの押下により接続方向の変更指示が実行される（Ｓ１１／Ｙ）。ステップＳ１０でレコーダが録画中であったり電源が入っていない等の原因により接続方向の変更を行うことができない状態の場合は（Ｓ１０／Ｎ）、“指定した系統のレコーダは接続方向の変更が可能な状態になっていません”などのメッセージを表示する（Ｓ１２）。録画が終了して接続方向の変更が可能な状態になったり、又は録画の中止、電源をオンにする等により接続方向の変更を可能な状態にしてＯＫキーが押下されたような場合は（Ｓ１３／Ｙ）ステップＳ９に戻る。録画中などでレコーダを設定可能な状態にできない場合は（Ｓ１３／Ｎ）ステップＳ１４に進み、戻るキーが押下されれば（Ｓ１４／Ｙ）ステップ４に戻って系統の指定をやり直すことができ、メニューキーが押下されれば（Ｓ１４／Ｎ）、接続方向の変更を中止し、フローを終了する。
【００３２】
接続方向の変更が指示されると、リモコンからの変更操作を受け付けた機器が送信側になっている場合は（Ｓ１５／Ｙ）、自機器を送信側から受信側に切換えてから相手機器を送信側に切換えさせるＣＥＣコマンドを送信する（Ｓ１６）。
リモコンからの変更操作を受け付けた機器が受信側になっている場合は（Ｓ１５／Ｎ）、相手機器を受信側に切換えさせるＣＥＣコマンドを送信し（Ｓ１７）、相手機器が受信側に切換ったことの通知が受信されたら（Ｓ１８／Ｙ）、自機器を受信側から送信側に切換える（Ｓ１９）。
【００３３】
接続方向の変更が実行されると、変更後の接続状態を表示（図７のＩ，II，Ｖの矢印の向きを変更）し（Ｓ２０）、他の系統の接続方向を変更する場合は（Ｓ２１／Ｙ）、表示されている接続系統画面に基づいて接続方向を変更しようとする系統をテンキーからの数字入力又は十字キーによるカーソル（不図示）移動で指定する。接続方向の変更を続行しない場合はメニューキーを押下して終了する。
【００３４】
なお、フローチャートに示していないが、ＡＶアンプを含む系統、すなわちIIまたはＶの接続方向を変更する場合は、前述したように何れか一方、例えば、IIを指定して変更するとそれに合わせてＶの接続方向も切換わる。
【００３５】
また、上述した実施形態では、ＨＤＭＩ接続機器情報やＨＤＭＩ接続状態情報の取得、配信機能をＨＤＭＩ制御部が備える例を示したが、これらの機能は別途ＨＤＭＩ処理部を設けて行わせるようにしても良い。
また、ＨＤＭＩ接続方向の変更は、入力の切換えに伴い、例えばレコーダが接続された入力を選択した場合はテレビジョン受像機が受信側に、地上デジタル放送などを選択した場合はテレビジョン受像機が送信側に、のように自動的に行われるようにしても良い。
また、ＨＤＭＩ接続方向の変更を、メニューからの選択ではなく、リモコンに「ＨＤＭＩ接続方向変更」の専用キーを設けるようにしても良い。
【００３６】
以上のように、本発明によれば、１本のＨＤＭＩケーブルで送信、受信の双方向の映像／音声信号を送ることができるので、利用目的に応じて各機器の接続方向を自由に切換えることができるようになり、ＡＶシステムにおける操作性が一段と向上する。
【図面の簡単な説明】
【００３７】
【図１】本発明によるＡＶ機器接続装置の基本構成を示すブロック図である。
【図２】ＡＶ機器接続装置をテレビジョン受像機に搭載した場合の概略構成を示すブロック図である。
【図３】ＡＶ機器接続装置をレコーダに搭載した場合の概略構成を示すブロック図である。
【図４】ＡＶ機器接続装置をＡＶアンプに搭載した場合の概略構成を示すブロック図である。
【図５】ＡＶ機器接続装置をテレビジョン受像機に搭載した場合の具体例を示すブロック図である。
【図６（Ａ）】テレビジョン受像機においてＨＤＭＩ接続方向の変更が行われる場合の動作処理を示すフローチャートの前半部である。
【図６（Ｂ）】テレビジョン受像機においてＨＤＭＩ接続方向の変更が行われる場合の動作処理を示すフローチャートの後半部である。
【図７】接続機器情報および接続状態情報に基づいて表示される接続系統図の表示例を示す図である。
【符号の説明】
【００３８】
１０…ＡＶ機器接続装置、１１…ＨＤＭＩ受信部、１２…ＨＤＭＩ送信部、１３…セレクタ、１４…ＨＤＭＩ制御部、２０…テレビジョン受像機、２１…信号入力部、２２…映像／音声処理部、２３…表示／音声出力部、３０…レコーダ、３１信号入力部、３２…映像／音声処理部、３３…記録部、４０…ＡＶアンプ、４１…音声出力部、４２、４３…入力／出力端子、１００…テレビジョン受像機、１０１…テレビジョン信号処理部、１０２…外部入力端子、１０３…入力／出力端子、１０４…選択部、１０５…映像／音声処理部、１０６…音声出力部、１０７…ＯＳＤ信号生成部、１０８…ブラウザ処理部、１０９…画像処理部、１１０…映像出力部、１１１…制御部、１１２…記憶部、１１３…リモコンＩ／Ｆ部、１１４…通信Ｉ／Ｆ部、１１５…リモコン、Ｌ…ＨＤＭＩケーブル。
【図１】
2008072419.tif 000003
【図２】
2008072419.tif 000004
【図３】
2008072419.tif 000005
【図４】
2008072419.tif 000006
【図５】
2008072419.tif 000007
【図６（Ａ）】
2008072419.tif 000008
【図６（Ｂ）】
2008072419.tif 000009
【図７】
2008072419.tif 000010